(57)【要約】【課題】無線基地局の無線資源を効率的に利用する。【解決手段】無線基地局は、端末からサービスフローの追加、作成、または変更のいずれかの動作が要求されると、端末から要求されたサービスフローの動作を実行可能な無線資源を自局が備えているかを無線資源管理ノードに確認する資源確認要求部と、自局に無線資源が不足している場合、無線資源管理ノードにより近隣の無線基地局の中から選択された、端末から要求されたサービスフローの動作を実行する実行先の無線基地局を、端末に通知する端末通知部と、を有する。無線資源管理ノードは、要求先の無線基地局に無線資源が不足している場合、近隣の無線基地局の中から、端末から要求されたサービスフローの動作を実行可能な無線資源を備える無線基地局を、実行先の無線基地局として選択する資源確認応答部を有する。【選択図】図１
2009182597.tif 000002
【特許請求の範囲】
【請求項１】
端末と、無線基地局および該無線基地局の無線資源を管理する無線資源管理ノードを含むアクセスサービスネットワークと、を有してなる広帯域無線接続システムであって、
前記無線基地局は、
前記端末からサービスフローの追加、作成、または変更のいずれかの動作が要求されると、要求されたサービスフローの動作を実行可能な無線資源を自局が備えているかを前記無線資源管理ノードに確認する資源確認要求部と、
自局に無線資源が不足している場合、前記無線資源管理ノードにより近隣の無線基地局の中から選択された、前記要求されたサービスフローの動作を実行する実行先の無線基地局を、前記端末に通知する端末通知部と、を有し、
前記無線資源管理ノードは、
要求先の無線基地局に無線資源が不足している場合、近隣の無線基地局の中から、前記要求されたサービスフローの動作を実行可能な無線資源を備える無線基地局を、前記実行先の無線基地局として選択する資源確認応答部を有する、広帯域無線接続システム。
【請求項２】
前記端末通知部は、前記要求されたサービスフローの動作を実行可能な無線資源を自局が備えている場合、サービスフローの動作の要求を受け入れる旨を、前記端末に通知する、請求項１に記載の広帯域無線接続システム。
【請求項３】
前記端末は、前記実行先の無線基地局を経由してネットワークエントリー動作を実行した後、当該実行先の無線基地局に対して、サービスフローの追加、作成、または変更のいずれかの動作を再度要求する、請求項２に記載の広帯域無線接続システム。
【請求項４】
広帯域無線接続システムのアクセスサービスネットワーク内に設けられた無線基地局であって、
端末からサービスフローの追加、作成、または変更のいずれかの動作が要求されると、要求されたサービスフローの動作を実行可能な無線資源を自局が備えているかを、無線資源管理ノードに確認する資源確認要求部と、
自局に無線資源が不足している場合、前記無線資源管理ノードにより近隣の無線基地局の中から選択された、前記要求されたサービスフローの動作を実行する実行先の無線基地局を、前記端末に通知する端末通知部と、を有する無線基地局。
【請求項５】
前記端末通知部は、前記要求されたサービスフローの動作を実行可能な無線資源を自局が備えている場合、サービスフローの動作の要求を受け入れる旨を、前記端末に通知する、請求項４に記載の無線基地局。
【請求項６】
広帯域無線接続システムのアクセスサービスネットワーク内に設けられた無線基地局による無線基地局通知方法であって、
端末からサービスフローの追加、作成、または変更のいずれかの動作が要求されると、要求されたサービスフローの動作を実行可能な無線資源を自局が備えているかを、無線資源管理ノードに確認するステップと、
自局に無線資源が不足している場合、前記無線資源管理ノードにより近隣の無線基地局の中から選択された、前記要求されたサービスフローの動作を実行する実行先の無線基地局を、前記端末に通知するステップと、を有する無線基地局通知方法。
【請求項７】
前記要求されたサービスフローの動作を実行可能な無線資源を自局が備えている場合、サービスフローの動作の要求を受け入れる旨を、前記端末に通知するステップをさらに有する、請求項６に記載の無線基地局通知方法。
【発明の詳細な説明】
【技術分野】
【０００１】
本発明は、固定と移動の広帯域無線接続システム（Fixed and Mobile Broadband Wireless Access Systems, WiMAX）、無線基地局、および無線基地局通知方法に関する。
【背景技術】
【０００２】
広帯域無線接続システムが、ＩＥＥＥ８０２．１６シリーズおよびＷｉＭＡＸ  Ｆｏｒｕｍで定義されている。
【０００３】
広帯域無線接続システムでは、端末（Subscribe Station/Mobile Station, SS/MS）とアクセスサービスネットワーク（Access Service Network, ASN）との間でユーザーデータを送受信するためにサービスフローを動的に追加する場合がある（非特許文献１）。
【０００４】
ＩＥＥＥ８０２．１６シリーズの仕様書およびＷｉＭＡＸ  Ｆｏｒｕｍの仕様書によれば、動的サービスフロー追加（Dynamic service flow addition）手続きでは、端末からアクセスサービスネットワークに対し、動的なサービスフローの追加を要求した場合、アクセスサービスネットワーク内の要求先の無線基地局（Base Station, BS）がサービスフローを新たに追加する。
【０００５】
なお、本明細書では、無線基地局は、セクターも包含した意味で用いるものとする。
【特許文献１】特表２００７−５２５９２５号公報
【発明の開示】
【発明が解決しようとする課題】
【０００６】
しかしながら、端末が動的なサービスフローの追加を要求したとしても、要求先の無線基地局の無線資源の不足により、新たなサービスフローの追加を断念せざるを得ない状況になることがある。以下、この問題につき、図５を参照して説明する。
【０００７】
なお、図５に示した広帯域無線接続システムにおいては、端末（MS/SS)３０と、端末３０に対して無線アクセスのために必要とされる完全なネットワーク機能を提供するアクセスサービスネットワーク（ASN）４０と、が設けられている。
【０００８】
また、アクセスサービスネットワーク４０内には、ＩＥＥＥ８０２．１６シリーズに準拠するＷｉＭＡＸ  ＭＡＣやＰＨＹを実装している論理ノードである無線基地局（MS）４１Ａ，４１Ｂと、無線基地局４１Ａ，４１Ｂの無線資源を管理する論理ノードである無線資源管理ノード４２と、が設けられている。
【０００９】
また、図５に示した広帯域無線接続システムにおいては、負荷分散、無線容量増加のために、２つの無線基地局４１Ａ，４１Ｂの無線カバー領域を同じとし、２つの無線基地局４１Ａ，４１Ｂで同一の地理的領域をオーバーレイさせる環境が構築されている。
【００１０】
図５を参照すると、まず、ステップ５０１において、端末３０は、無線基地局４１Ａを経由し、ＷｉＭＡＸのネットワークへのエントリー動作を実行する。このとき、無線基地局４１Ａは、輻輳による資源不足から、新たなサービスフローの追加が受け入れられない状態にある。
【００１１】
次に、ステップ５０２において、端末３０は、動的なサービスフローの追加を無線基地局４１Ａに要求する。
【００１２】
ところが、無線基地局４１Ａは、輻輳状態であるため、ステップ５０３において、サービスフローの追加要求に対する拒否の応答を端末３０に返す。
【００１３】
ただし、この時点では、無線基地局４１Ａと同じ地理的領域をカバーしている無線基地局４１Ｂは、非輻輳状態にあり、サービスフローを追加可能な無線資源を十分に備えているため、サービスフローを追加することが可能である。
【００１４】
しかしながら、無線基地局４１Ａは、無線基地局４１Ｂではサービスフローが追加可能である旨を端末３０に通知することができないため、端末３０の接続先を無線基地局４１Ｂに切り替える（redirect）ことができない。その結果、新たなサービスフローの追加は、失敗にならざるを得ない。
【００１５】
また、仮に端末３０が無線基地局４１Ｂへ接続先を切り替えるハンドオーバー動作を行ったとしても、無線基地局４１Ａから端末３０に対して上記の通知がなされないため、端末３０のユーザーが能動的にサービスフローの追加を再度要求するまで、新たなサービスフローが追加されることはなかった。
【００１６】
つまり、広帯域無線接続システムにおいては、負荷分散、無線容量増加のために、同一の地理的領域を複数の無線基地局でオーバーレイさせる環境を構築したとしても、無線基地局の無線資源を効率的に利用することができないという課題があった。
【００１７】
本発明の目的は、上記課題を解決する広帯域無線接続システム、無線基地局、および無線基地局通知方法を提供することにある。
【課題を解決するための手段】
【００１８】
本発明の広帯域無線接続システムは、
端末と、無線基地局および該無線基地局の無線資源を管理する無線資源管理ノードを含むアクセスサービスネットワークと、を有してなる広帯域無線接続システムであって、
前記無線基地局は、
前記端末からサービスフローの追加、作成、または変更のいずれかの動作が要求されると、要求されたサービスフローの動作を実行可能な無線資源を自局が備えているかを前記無線資源管理ノードに確認する資源確認要求部と、
自局に無線資源が不足している場合、前記無線資源管理ノードにより近隣の無線基地局の中から選択された、前記要求されたサービスフローの動作を実行する実行先の無線基地局を、前記端末に通知する端末通知部と、を有し、
前記無線資源管理ノードは、
要求先の無線基地局に無線資源が不足している場合、近隣の無線基地局の中から、前記要求されたサービスフローの動作を実行可能な無線資源を備える無線基地局を、前記実行先の無線基地局として選択する資源確認応答部を有する。
【００１９】
本発明の無線基地局は、
広帯域無線接続システムのアクセスサービスネットワーク内に設けられた無線基地局であって、
端末からサービスフローの追加、作成、または変更のいずれかの動作が要求されると、要求されたサービスフローの動作を実行可能な無線資源を自局が備えているかを、無線資源管理ノードに確認する資源確認要求部と、
自局に無線資源が不足している場合、前記無線資源管理ノードにより近隣の無線基地局の中から選択された、前記要求されたサービスフローの動作を実行する実行先の無線基地局を、前記端末に通知する端末通知部と、を有する。
【００２０】
本発明の無線基地局通知方法は、
広帯域無線接続システムのアクセスサービスネットワーク内に設けられた無線基地局による無線基地局通知方法であって、
端末からサービスフローの追加、作成、または変更のいずれかの動作が要求されると、要求されたサービスフローの動作を実行可能な無線資源を自局が備えているかを、無線資源管理ノードに確認するステップと、
自局に無線資源が不足している場合、前記無線資源管理ノードにより近隣の無線基地局の中から選択された、前記要求されたサービスフローの動作を実行する実行先の無線基地局を、前記端末に通知するステップと、を有する。
【発明の効果】
【００２１】
本発明によれば、アクセスサービスネットワーク側では、端末がサービスフローの追加、作成、または変更の動作を無線基地局に要求してきた時に、要求先の無線基地局に無線資源が不足している場合、近隣の無線基地局のうち、端末から要求されたサービスフローの動作を実行可能な無線資源を備える無線基地局を端末に通知する構成である。
【００２２】
そのため、アクセスサービスネットワーク内の無線基地局の無線資源を効率的に利用することができるという効果が得られる。
【発明を実施するための最良の形態】
【００２３】
以下に、本発明を実施するための最良の形態について図面を参照して説明する。
【００２４】
（第１の実施形態）
まず、本実施形態の広帯域無線接続システムの構成を、図１を参照して説明する。
【００２５】
図１を参照すると、本実施形態の広帯域無線接続システムにおいては、端末（MS/SS）１０と、端末１０に対して無線アクセスのために必要とされる完全なネットワーク機能を提供するアクセスサービスネットワーク（ASN）２０と、が設けられている。
【００２６】
また、アクセスサービスネットワーク２０内には、ＩＥＥＥ８０２．１６シリーズに準拠するＷｉＭＡＸ  ＭＡＣやＰＨＹを実装している論理ノードである無線基地局（MS）２１Ａ，２１Ｂと、無線基地局２１Ａ，２１Ｂの無線資源を管理する論理ノードである無線資源管理ノード２２と、が設けられている。
【００２７】
また、本実施形態の広帯域無線接続システムにおいては、負荷分散、無線容量増加のために、２つの無線基地局２１Ａ，２１Ｂの無線カバー領域を同じとし、２つの無線基地局２１Ａ，２１Ｂで同一の地理的領域をオーバーレイさせる環境が構築されている。
【００２８】
また、無線基地局２１Ａは、通信部２１１Ａと、資源確認要求部２１２Ａと、端末通知部２１３Ａと、制御部２１４Ａと、を有している。
【００２９】
通信部２１１Ａは、端末１０および無線資源管理ノード２２との通信を行う。
【００３０】
資源確認要求部２１２Ａは、端末１０からサービスフローの追加、作成、または変更のいずれかの動作が要求されると、要求されたサービスフローの動作を実行可能な無線資源を自局が備えているかを無線資源管理ノード２２に確認する。
【００３１】
端末通知部２１３Ａは、自局が端末１０から要求されたサービスフローの動作を実行可能な無線資源を備えている場合、サービスフローの動作の要求を受け入れる旨を、端末１０に通知する。
【００３２】
また、端末通知部２１３Ａは、自局に無線資源が不足している場合、無線資源管理ノード２２により、近隣の無線基地局の中から、端末１０から要求されたサービスフローの動作を実行する実行先の無線基地局が選択されると、選択された無線基地局を端末１０に通知する。
【００３３】
制御部２１４Ａは、無線基地局２１Ａの全体制御を行う。
【００３４】
なお、無線基地局２１Ｂも、無線基地局２１Ａと同様に、通信部２１１Ｂと、資源確認要求部２１２Ｂと、端末通知部２１３Ｂと、制御部２１４Ｂと、を有している。
【００３５】
また、無線資源管理ノード２２は、通信部２２１と、資源確認応答部２２２と、制御部２２３と、を有している。
【００３６】
通信部２２１は、無線基地局２１Ａ，２１Ｂとの通信を行う。
【００３７】
資源確認応答部２２２は、無線基地局２１Ａ，２１Ｂの各々の無線資源の使用状況を管理する。
【００３８】
また、資源確認応答部２２２は、サービスフローの動作の要求先の無線基地局がサービスフローの動作を実行可能な無線資源を備えているか判定し、無線資源が不足している場合、近隣の無線基地局の中から、端末１０から要求されたサービスフローの動作を実行可能な無線資源を備える無線基地局を、上記の実行先の無線基地局として選択する。
【００３９】
以下、本実施形態の広帯域無線接続システムの動作について説明する。
【００４０】
最初に、本実施形態の広帯域無線接続システムの概略動作について、図２を参照して説明する。なお、図２においては、動的サービスフロー追加（Dynamic service flow addition）手続き時の動作が示されている。
【００４１】
図２を参照すると、まず、ステップ２０１において、端末１０は、無線基地局２１Ａを経由し、ＷｉＭＡＸのネットワークへのエントリー動作を実行する。このとき、無線基地局２１Ａは、輻輳による資源不足から、新たなサービスフローの追加が受け入れられない状態にある。
【００４２】
次に、ステップ２０２において、端末１０は、動的なサービスフローの追加を無線基地局２１Ａに要求する。これを受けて、無線基地局２１Ａの資源確認要求部２１２Ａは、自局がサービスフローを追加可能な無線資源を備えているかを、無線資源管理ノード２２に確認する。
【００４３】
ところが、無線基地局２１Ａは輻輳状態である。そのため、ステップ２０３において、無線資源管理ノード２２の資源確認応答部２２２は、無線基地局２１Ａの近隣の無線基地局（図示されていないものも含む）の中から、非輻輳状態にありサービスフローを追加可能な無線資源を十分に備えている無線基地局を、サービスフローを追加する無線基地局として選択する。ここでは、無線基地局２１Ｂを選択したとする。
【００４４】
次に、ステップ２０４において、無線基地局２１Ａの端末通知部２１３Ａは、サービスフローの追加要求に対する応答として、ステップ２０３で選択された無線基地局２１Ｂを端末１０へ通知する。
【００４５】
その後、ステップ２０５において、端末１０は、ステップ２０４で通知された無線基地局２１Ｂに接続先を切り替え、無線基地局２１Ｂに新たにサービスフローを追加する。
【００４６】
これにより、アクセスサービスネットワーク４０は、サービスフロー追加時に、端末１０毎に効率的に無線資源を分配することが可能になるため、無線資源を効率的に利用することが可能となる。
【００４７】
次に、本実施形態の広帯域無線接続システムの詳細動作について、図３を参照して説明する。なお、図３においては、動的サービスフロー追加手続き時の動作が示されている。
【００４８】
図３を参照すると、まず、ステップ３０１において、端末１０は、無線基地局２１Ａを経由し、ＷｉＭＡＸネットワークへのエントリー動作を実行する。
【００４９】
次に、ステップ３０２において、端末１０は、無線基地局２１Ａに対し、動的サービスフロー追加要求メッセージ（ＤＳＡ−ＲＥＱ）で、ユーザーデータ送受信のためのサービスフローの動的な追加を要求する。
【００５０】
次に、ステップ３０３において、無線基地局２１Ａの端末通知部２１３Ａは、端末１０に対し、受信確認メッセージ（ＤＳＸ−ＲＶＤ）で、動的サービスフロー追加要求メッセージを受信した旨を通知する。
【００５１】
次に、ステップ３０４において、無線基地局２１Ａの資源確認要求部２１２Ａは、無線資源管理ノード２２に対し、自局がサービスフローを追加可能な無線資源を備えているかを、任意の方法で確認する。
【００５２】
次に、ステップ３０５において、無線資源管理ノード２２の資源確認応答部２２２は、無線基地局２１Ａにはサービスフローを追加可能な無線資源が不足していることを検出する。そのため、資源確認応答部２２２は、さらに、近隣の無線基地局の中から、非輻輳状態にありサービスフローを追加可能な無線資源を十分に備えている無線基地局２１Ｂを、サービスフローを追加する無線基地局として選択する。
【００５３】
次に、ステップ３０６において、無線資源管理ノード２２の資源確認応答部２２２は、サービスフロー追加のための無線資源を無線基地局２１Ｂに確保する。
【００５４】
次に、ステップ３０７において、無線資源管理ノード２２の資源確認応答部２２２は、無線基地局２１Ａに対し、サービスフローの追加先が無線基地局２１Ｂであることを、任意の方法で通知する。
【００５５】
次に、ステップ３０８において、無線基地局２１Ａの端末通知部２１３Ａは、端末１０に対し、動的サービスフロー追加応答メッセージ（ＤＳＡ−ＲＳＰ）で、サービスフローの追加先が無線基地局２１Ｂであることを通知する。
【００５６】
次に、ステップ３０９において、端末１０は、動的サービスフロー追加応答メッセージで通知された無線基地局２１Ｂとの間で、必要な同期動作を実行する。
【００５７】
その後、ステップ３１０において、端末１０は、無線基地局２１Ｂに対し、動的サービスフロー追加確認メッセージ（ＤＳＡ−ＡＣＫ）で、サービスフローを追加するよう通知する。
【００５８】
なお、本実施形態においては、動的サービスフロー追加手続き時の動作について説明したが、同様の動作を、動的サービスフローの作成手続き時（dynamic service creation）および動的サービスフローの変更手続き時（dynamic service flow change）にも適用できることは明らかである。
【００５９】
上述したように本実施形態においては、アクセスサービスネットワーク２０側では、端末１０がサービスフローの追加、作成、または変更のいずれかの動作を無線基地局に要求してきた時に、要求先の無線基地局に無線資源が不足している場合、要求されたサービスフローを実行可能な無線資源を十分に備える無線基地局を端末１０に通知する。
【００６０】
そのため、アクセスサービスネットワーク２０内の無線基地局の無線資源を効率的に利用することができる共に、端末１０からのサービスフローの動作の要求に対する成功率を高めることができる。
【００６１】
（第２の実施形態）
本実施形態の広帯域無線接続システムは、第１の実施形態と比較して、構成自体は図１に示したものと同様であるが、動作は図３に示したものとは異なる。
【００６２】
以下、本実施形態の広帯域無線接続システムの詳細動作について、図４を参照して説明する。なお、図４においては、動的サービスフロー追加手続き時の動作が示されている。
【００６３】
図４を参照すると、まず、ステップ４０１において、端末１０は、無線基地局２１Ａを経由し、ＷｉＭＡＸネットワークへのエントリー動作を実行する。
【００６４】
次に、ステップ４０２において、端末１０は、無線基地局２１Ａに対し、動的サービスフロー追加要求メッセージ（ＤＳＡ−ＲＥＱ）で、ユーザーデータ送受信のためのサービスフローの動的な追加を要求する。
【００６５】
次に、ステップ４０３において、無線基地局２１Ａの端末通知部２１３Ａは、端末１０に対し、受信確認メッセージ（ＤＳＸ−ＲＶＤ）で、動的サービスフロー追加要求メッセージを受信した旨を通知する。
【００６６】
次に、ステップ４０４において、無線基地局２１Ａの資源確認要求部２１２Ａは、無線資源管理ノード２２に対し、自局がサービスフローを追加可能な無線資源を備えているかを、任意の方法で確認する。
【００６７】
次に、ステップ４０５において、無線資源管理ノード２２の資源確認応答部２２２は、無線基地局２１Ａにはサービスフローを追加可能な無線資源が不足していることを検出する。そのため、資源確認応答部２２２は、さらに、近隣の無線基地局の中から、非輻輳状態にありサービスフローを追加可能な無線資源を十分に備えている無線基地局２１Ｂを、サービスフローを追加する無線基地局として選択する。
【００６８】
次に、ステップ４０６において、無線資源管理ノード２２の資源確認応答部２２２は、無線基地局２１Ａに対し、サービスフローの追加先が無線基地局２１Ｂであることを、任意の方法で通知する。
【００６９】
次に、ステップ４０７において、無線基地局２１Ａの端末通知部２１３Ａは、端末１０に対し、動的サービスフロー追加応答メッセージ（ＤＳＡ−ＲＳＰ）で、サービスフローの追加先が無線基地局２１Ｂであることを通知する。
【００７０】
次に、ステップ４０８において、端末１０は、動的サービスフロー追加応答メッセージで通知された無線基地局２１Ｂを経由し、ＷｉＭＡＸネットワークへのエントリー動作を実行する。
【００７１】
次に、ステップ４０９において、端末１０は、無線基地局２１Ｂに対し、動的サービスフロー追加要求メッセージ（ＤＳＡ−ＲＥＱ）で、ユーザーデータ送受信のためのサービスフローの動的な追加を要求する。
【００７２】
次に、ステップ４１０において、無線基地局２１Ｂの端末通知部２１３Ｂは、端末１０に対し、受信確認メッセージ（ＤＳＸ−ＲＶＤ）で、動的サービスフロー追加要求メッセージを受信した旨を通知する。
【００７３】
次に、ステップ４１１において、無線基地局２１Ｂの資源確認要求部２１２Ｂは、無線資源管理ノード２２に対し、自局がサービスフローを追加可能な無線資源を備えているかを、任意の方法で確認する。
【００７４】
次に、ステップ４１２において、無線資源管理ノード２２の資源確認応答部２２２は、無線基地局２１Ｂにはサービスフローを追加可能な無線資源を十分に備えており、サービスフローが追加可能であると判断する。
【００７５】
次に、ステップ４１３において、無線資源管理ノード２２の資源確認応答部２２２は、無線基地局２１Ｂに対し、サービスフロー追加要求を受け入れ可能な無線資源を十分に備えていることを、任意の方法で通知する。
【００７６】
次に、ステップ４１４において、無線基地局２１Ｂの端末通知部２１３Ｂは、端末１０に対し、動的サービスフロー追加応答メッセージ（ＤＳＡ−ＲＳＰ）で、サービスフローの追加要求を受け入れる旨を通知する。
【００７７】
その後、ステップ４１５において、端末１０は、無線基地局２１Ｂに対し、動的サービスフロー追加確認メッセージ（ＤＳＡ−ＡＣＫ）で、サービスフローを追加するよう通知する。
【００７８】
なお、本実施形態においては、動的サービスフロー追加手続き時の動作について説明したが、同様の動作を、動的サービスフローの作成手続き時および動的サービスフローの変更手続き時にも適用できることは明らかである。
【００７９】
上述したように本実施形態においては、アクセスサービスネットワーク２０側では、端末１０がサービスフローの追加、作成、または変更のいずれかの動作を無線基地局に要求してきた時に、要求先の無線基地局に無線資源が不足している場合、要求されたサービスフローを実行可能な無線資源を十分に備える無線基地局を端末１０に通知する。
【００８０】
そのため、アクセスサービスネットワーク２０内の無線基地局の無線資源を効率的に利用することができる共に、端末１０からのサービスフローの動作の要求に対する成功率を高めることができる。
【００８１】
さらに、本実施形態においては、端末１０は、サービスフローの動作の実行先として通知された無線基地局を経由してネットワークへのエントリー動作を実行する構成となっているため、アクセスサービスネットワーク２０の構成を大幅に変更する必要がない。
【図面の簡単な説明】
【００８２】
【図１】本発明の第１および第２の実施形態の広帯域無線接続システムの構成を示すブロック図である。
【図２】本発明の第１の実施形態の広帯域無線接続システムの概略動作を説明する図である。
【図３】本発明の第１の実施形態の広帯域無線接続システムの詳細動作を説明するシーケンス図である。
【図４】本発明の第２の実施形態の広帯域無線接続システムの詳細動作を説明するシーケンス図である。
【図５】関連する広帯域無線接続システムの概略動作を説明する図である。
【符号の説明】
【００８３】
１０    端末（MS/SS）
２０    アクセスサービスネットワーク（ASN）
２１Ａ，２１Ｂ    無線基地局（MS）
２２    無線資源管理ノード
２１１Ａ，２１１Ｂ    通信部
２１２Ａ，２１２Ｂ    資源確認要求部
２１３Ａ，２１３Ｂ    端末通知部
２１４Ａ，２１４Ｂ    制御部
２２１    通信部
２２２    資源確認応答部
２２３    制御部
【図１】
2009182597.tif 000003
【図２】
2009182597.tif 000004
【図３】
2009182597.tif 000005
【図４】
2009182597.tif 000006
【図５】
2009182597.tif 000007